(57)【要約】【課題】ユーザによって、楽曲とその場の状況の関係を評価することが可能なコンテンツ評価装置を提供する。【解決手段】本発明のコンテンツ評価装置は、再生中のコンテンツと場の状況との適合に関する評価を入力させるための報知を行う報知手段と、報知手段による報知に応じてなされる評価の入力を受け付ける入力部と、を備え、報知手段は、コンテンツごとに異なるタイミングで前記報知を行う。【選択図】図７
2020035511.tif 000002
【特許請求の範囲】
【請求項１】
再生中のコンテンツと場の状況との適合に関する評価を入力させるための報知を行う報知手段と、
前記報知手段による報知に応じてなされる前記評価の入力を受け付ける入力部と、
を備え、
前記報知手段は、前記コンテンツごとに異なるタイミングで前記報知を行うことを特徴とするコンテンツ評価装置。
【発明の詳細な説明】
【技術分野】
【０００１】
本発明は、ユーザがコンテンツを評価するために用いられるコンテンツ評価装置に関する。
【背景技術】
【０００２】
特許文献１には、位置情報をもとに、その場に適した楽曲を自動選曲して再生する再生装置、再生システム及び再生制御方法が開示されている。
【０００３】
特許文献２には、ナビゲーション機能と連携して動作する楽曲再生装置が開示されている。そして、現在位置と目的地の位置情報に基づいて、曲中の所望の部位を所望のタイミングで再生できるように再生開始時点を制御する技術が開示されている。
【先行技術文献】
【特許文献】
【０００４】
【特許文献１】特開２００５−３８３５２号公報
【特許文献２】特開２０１０−１３５０１２号公報
【発明の概要】
【発明が解決しようとする課題】
【０００５】
特許文献１には、位置情報をもとに、その場所に適した楽曲を自動選曲する仕組みが開示されている。そして、その場に適した楽曲であるか否かは、位置情報を含む環境変数と楽曲の属性データとの値を比較して判断している。
しかし、このような判断に基づいて選曲された楽曲について、ユーザが、本当にその楽曲がその場に適していると判断しているかについては考慮されていなかった。
【０００６】
また、特許文献２に記載の技術は、移動体が明確な目的地を持たずに移動しているような場合には、ユーザは、現在の自分の状況と楽曲とを関連づけることができないという問題があった。
【０００７】
本発明は、上記課題に鑑みてなされたものであり、その目的の一例は、ユーザによって、楽曲とその場の状況の関係を評価することが可能なコンテンツ評価装置を提供することである。
【課題を解決するための手段】
【０００８】
本発明に係るコンテンツ評価装置は、再生中のコンテンツと場の状況との適合に関する評価を入力させるための報知を行う報知手段と、報知手段による報知に応じてなされる評価の入力を受け付ける入力部と、を備え、報知手段は、コンテンツごとに異なるタイミングで報知を行うことを特徴とする。
【図面の簡単な説明】
【０００９】
【図１】本発明の第１の条件に基づく再生に係る再生端末機の正面図である。
【図２】図１の再生端末機の機能を説明するための説明図である。
【図３】図１の再生端末機の通信システムの構成を示す説明図である。
【図４】図１の再生端末機の構成を示すブロック図である。
【図５】コンテンツ再生の処理手順を示すフローチャートである。
【図６】現在状況情報と第１の条件を照合する処理の説明図である。
【図７】処理Ａ（第１の条件に基づく再生の場合）の手順を示すフローチャートである。
【図８】処理Ｂ（ランダム再生の場合）の手順を示すフローチャートである。
【図９】データベースが備えるテーブルを示す図である。
【発明を実施するための形態】
【００１０】
図１は、本発明に係るコンテンツ評価装置を備える再生端末機１の正面図である。以下、図１を参照して、再生端末機１の構成を説明する。
【００１１】
再生端末機１は薄型の筐体として形成されている。再生端末機１は、操作表示部４７と、上面３の近傍に受話口２１と、下面２の近傍に送話口（図示なし）と、を有する。操作表示部４７は、ディスプレイパネル２２及びタッチセンサ２４から構成される。また、この操作表示部４７は、さらにタイトルバー２３や報知手段２５を表示可能である。
【００１２】
図２は、図１の再生端末機１の機能を説明するための説明図である。次に、図２を用いて、再生端末機１の機能の概要を説明する。
【００１３】
再生端末機１は、ユーザより再生の指示があって再生ＯＮとなると、所定の条件（第１の条件）を満たす場合に、ユーザの現在のその場の状況（例えば「Ａ:海辺の夕焼け」、「Ｂ:田舎の青空」、「Ｃ:クリスマスの夜」、「Ｄ:雨の山道」）に合わせて、その状況に合った楽曲（例えば「Ａ：サン・ライズ」、「Ｂ：スカイ・ブルー」、「Ｃ：きよしこの夜」、「Ｄ：かえるのうた」）と風景画像（例えば「Ａ：海に沈む夕日」、「Ｂ：晴れた青空」、「Ｃ：クリスマスツリー」、「Ｄ：濡れた若葉」）を自動的に再生する。再生される楽曲及び風景画像はサーバから自動的に取得される。
【００１４】
ここで、その場の状況（現在状況情報）とは、例えば、場所、天気及び気温、道路状況といった地理的情報や、季節や時間帯といった時期的情報から適宜選択される現在状況情報から判断される。さらにユーザが自動車に乗車していると判断される場合は、ライト、車速度、駐車状況といった自動車の走行に関連のある情報を含めてもよい。
【００１５】
この現在状況情報と、再生端末機１が所有している第１の条件とが一致した場合に、再生端末機１は再生開始の処理を開始する（なお、以下の説明は、図４〜図９において、詳説する）。
なお、第１の条件は後述するが、再生端末機１にコンテンツの再生開始に適切であるとして記憶されている条件である。
そして、再生端末機１は、現在状況情報をサーバ３１に通信出力する。この現在状況情報を通信入力されたサーバ３１は、再生条件が記憶されているコンテンツデータベース３２を検索して、その現在状況情報に最も適合するものとして記憶されているコンテンツを選択する。
そして、サーバ３１は、選択したコンテンツの楽曲データ（楽曲ＤＡＴＡａ）及び画像データ（画像ＤＡＴＡａ）を再生端末機１に対して通信出力する。なお、「コンテンツデータ」との用語は、楽曲データ及び画像データの総称として用いることとする。
このコンテンツデータの通信入力を受けた再生端末機１は、データに基づいて、楽曲を再生し、画像を表示する。
【００１６】
例えば、再生条件が、再生条件Ａ（時期的情報（時間帯）：夕、天気の情報：晴、地理的情報（現在位置）：海辺）に適合した場合、再生端末機１は、再生条件Ａに対応した楽曲データ（楽曲ＤＡＴＡａ）と画像データ（画像ＤＡＴＡａ）（例えば、夕陽と海に因んだ楽曲，夕陽の風景画像）をサーバのデータベースから取得し同時に再生する。
なお、第１の条件に基づく再生では再生条件に対応するコンテンツデータを再生する。
【００１７】
なお、再生条件はサーバ３１が所有しており、サーバ３１は、再生端末機１が取得した現在状況情報を受け取り、この現在状況情報に最も適切であるとその時点で判断されるコンテンツを選択している（図９参照）。
ここで、最も適切であるとその時点で判断されるとしているのは、再生条件は複数のユーザからのコンテンツデータに対する評価によって変化するからである。また、再生端末機１が有する第１の条件は、サーバ３１が有する再生条件と同期する。しかし、サーバ３１の再生条件は複数のユーザの評価情報等によって常に変化可能である。そのため、同期が行われた瞬間には、再生端末機１が有する第１の条件と再生条件は同一であるが、同期が行われないと、再生条件が変化した結果、第１の条件と再生条件は異なってゆくことになる。
【００１８】
このようにしたことから、第１の条件に基づく再生では、ユーザは自ら選択・決定することなく、自身の眼前に広がる実際の風景に相応しいバックミュージックの提供を受けることができる。
なお、第１の条件に基づく再生については、図５及び図７を参照して後述する。
【００１９】
これに対し、ランダム再生では、コンテンツ再生の際に再生条件を介さない。すなわち、その場の状況に関わらずランダムにコンテンツを取得する。この場合、その場の状況に相応しいコンテンツが再生されることもあれば、その場の状況に全く関係のないコンテンツが再生されることもある。
【００２０】
ランダム再生では、意外性のあるコンテンツ再生が、ユーザに対して特に強い印象を与えることがある。そして、ユーザはその場の状況とコンテンツとの間に新たな文脈やストーリーを発見することができる。
なお、ランダム再生については、図５及び図８を参照して後述する。
【００２１】
さらに、本発明は、ユーザがその場の状況と再生コンテンツがマッチしたことを報知可能な評価機能を備えている。この評価に基づいて再生条件の精度を上げることができる。また、ユーザによって発見された新たな文脈やストーリーを、新たな再生条件として成立させることによって、この再生条件を介して、発見した文脈やストーリーを他のユーザと共有することができる。
【００２２】
具体的には、コンテンツの再生が開始され、所定の条件（第２の条件）を満たすと、ディスプレイパネル２２上に報知手段２５が表示される。
この報知手段２５とは、ディスプレイパネル２２にこのボタンを押圧することによって、再生中の楽曲及び画像に対する評価が可能なことを示すものである。ここで、この第２の条件とは、例えば、コンテンツの再生が開始されて所定期間経過したことや、楽曲の最も盛り上がる部分に差しかかかったタイミングなどである。
【００２３】
第２の条件を満たし、報知手段２５が表示されると、ユーザは再生中のコンテンツがその場の状況に相応しいと判断した場合は、この報知手段２５をタッチし、評価する。この評価の情報はサーバ３１に通信出力される。そして、サーバ３１に格納され、次回以降のコンテンツ再生の際に利用されることによって、複数のユーザ間で評価の情報を共有することができる。
【００２４】
図３は図１の再生端末機１の通信システムの構成を示す説明図である。
【００２５】
再生端末機１は基地局３４及びインターネット３３を介してサーバ３１と接続可能に構成される。
再生端末機１は、ＧＰＳ（Global Positioning System）ユニットである現在位置検出部４１（図４参照）を備える。現在位置検出部４１は、ＧＰＳ演算回路及びＧＰＳアンテナ等を含み、ＧＰＳ３５の電波を受信して再生端末機１の現在位置を演算する。
現在位置検出部４１で検出された現在位置情報等の現在状況情報は、制御部４３によってサーバ３１に供給可能である。
なお、現在位置はＧＰＳ３５によって取得されることには限定されない。例えば、基地局３４からの距離等の情報から取得することも可能である。
【００２６】
サーバ３１は特にコンテンツデータベース３２を備える。コンテンツデータベース３２は、コンテンツデータを記憶し、コンテツ再生時に必要なテーブル６１（図９参照）等を有する。
【００２７】
図４は、再生端末機１の構成を示すブロック図である。
【００２８】
図４に示されるように、再生端末機１は、制御・処理の中枢である制御部４３と、現在位置検出部４１と、通信部４２と、記憶部４４と、撮像部４５と、電源制御部４６と、操作表示部４７と、音声入出力部４８と、のそれぞれが、アドレス、データ、コントロールのためのラインが複数本からなるシステムバス４９に共通に接続され、構成される。操作表示部４７は表示部８と入力部１０とからなる。
【００２９】
電源制御部４６は、再生端末機１の電源が入っている状態では、再生端末機１内の表示部８及び制御部４３等が実装される回路基板等への電力の供給を制御している。
また、充電時には充電回路を制御して、バッテリへの充電開始及び停止、並びに充電の速度等を制御している。
【００３０】
通信部４２は、通信ネットワークに接続される基地局３４との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
本実施形態においては、特に、通信部４２は、第１の条件、楽曲・画像データ、第２の条件、評価情報等に関して、再生端末機１とサーバ３１のコンテンツデータベース３２との間で通信を行う。
【００３１】
受話口２１及び送話口（図示なし）からなる音声入出力部４８は、スピーカに出力される音声信号やマイクロフォンにおいて入力される音声信号の入出力処理を行う。
すなわち、音声入出力部４８は、マイクロフォンから入力された音声を増幅し、アナログ／デジタル変換を行い、更に符号化等の信号処理を施し、デジタルの音声データに変換して制御部４３に出力する。
また、音声入出力部４８は、制御部４３から供給される音声データに復号化、デジタル／アナログ変換、増幅等の信号処理を施し、アナログの音声信号に変換してスピーカに出力する。
本実施形態においては、特に、音声入出力部４８は、サーバ３１からダウンロードされた楽曲データの音響情報の出力を行う。
【００３２】
操作表示部４７は、表示部８に対応するディスプレイパネル２２と入力部１０に対応するタッチセンサ２４が一体化している。
ここで、表示部８は、例えば、ＬＣＤやＯＬＥＤ（Organic Light-Emitting Diode（有機ＥＬ））を用いて形成されている。
表示部８では、制御部４３から供給される映像信号に応じた画像を表示する。また、表示部８は、例えば、通信部４２による無線発信時における発信先の電話番号、着信時における発信元の電話番号、受信メールや送信メールの内容、日付、時刻、電池残量、発信成否、待ち受け画面等を表示する。
なお、表示部８はディスプレイパネル２２のみならず他の表示手段を有していても良い。また、入力部１０はタッチセンサ２４のみならず他の入力手段を有していても良い。
本実施形態においては、特に、操作表示部４７上に、ユーザがコンテンツを評価するための報知手段２５を表示する。
そして、報知手段２５に対応する位置がユーザによって押し圧されたことをタッチセンサ２４が検出すると、これをユーザの指示として制御部４３に出力する。
さらに、操作表示部４７では、サーバ３１からダウンロードした画像データを楽曲再生期間中に表示する。
【００３３】
撮像部４５は、ＣＣＤ（Charge Coupled Device）やＣＭＯＳ（Complementary Metal Oxide Semiconductor）イメージセンサ等の光電変換素子とその制御回路等により構成されるカメラである。
本実施形態においては、特に、撮像部４５を用いて、ユーザは、再生中の楽曲とマッチする風景画像を撮影することができる。
【００３４】
記憶部４４では、再生端末機１の各種処理に利用される各種データを記憶する。記憶部４４は、例えば制御部４３が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
本実施形態においては、特に、記憶部４４は、後述する第１の条件や再生用のコンテンツデータ、第２の条件、再生条件、評価情報等を記憶する。さらに、撮像部４５が撮影した画像データを記憶する。
【００３５】
なお、記憶部４４は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３６】
制御部４３は、再生端末機１の全体的な動作を統括的に制御する。
すなわち、制御部４３は、再生端末機１の各種処理（回線交換網を介して行われる音声通話、電子メールの作成と送受信、インターネットのＷｅｂ上のダウンロードサイトの閲覧など）が操作表示部４７の操作に応じて適切な手順で実行されるように、上述した各ブロックの動作（通信部４２における信号の送受信、表示部８における画像の表示、撮像部４５における撮像処理等）を制御する。
【００３７】
さらに、制御部４３は、記憶部４４に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部４３は、記憶部４４に格納されるオペレーティングシステムやアプリケーションプログラム等のプログラムから命令コードを順次受け取って処理を実行する。
本実施形態においては、特に、制御部４３は、図５、６及び７を参照して後述するコンテンツ再生の手順全般の制御を行う。
【００３８】
図５は、コンテンツ再生の処理手順を示すフローチャートである。
【００３９】
ステップＳ０１では、ユーザによる楽曲の再生指示があるか否かを判断する。そして、再生指示が無い場合には、再生指示があるまで待機する。
逆に、再生指示がある場合には、ステップＳ０２の処理に移行する。
なお、このユーザによる楽曲の再生指示を受けずに再生端末機１の電源ＯＮに対応してすぐにステップＳ０２に移行しても良い。なおここで、ユーザが再生端末機１をＯＮにする方法としては、例えば、ユーザが再生端末機１の操作表示部４７等を操作する等であってよい。
【００４０】
ステップＳ０２では、現在の再生端末機１の現在状況情報を検出する。具体的には、制御部４３が通信部４２及び現在位置検出部４１を介してＧＰＳ３５及びサーバ３１から現在状況情報を検出する。
現在状況情報とは、場所、天気／気温、道路状況等地理的情報と、季節及び時間等の時期的情報と、ライト、車速、駐車情報といった自動車の走行に関連する情報等である。
地理的情報のうち、場所に関する情報は、緯度及び経度に関する情報としてＧＰＳ３５から現在位置検出部４１介して検出される。
また、天気／気温に関する情報は、基地局３４から通信部４２を介して取得する。
さらに、道路状況等は、ＧＰＳ３５又は基地局３４から、現在位置検出部４１又は通信部４２を介して取得する。なお、道路状況の情報とは、走行中の道路の混雑状況や、高速道路を走行中か否かなどの情報である。さらには、目的地までの距離や、走行近辺のランドマーク等の情報を含めてもよい。
時期的情報は、再生端末機１の制御部４３が有するタイマ部の日時情報から取得することが可能である。
自動車の走行に関連する情報は、搭乗中の自動車に設置されたＥＣＵ（Electronic Control Unit：電子制御ユニット）が有する情報を、通信部４２を介して取得する。
ステップＳ０２が実行されると、ステップＳ０３に移行する。なお、ステップＳ０３がない場合はステップＳ０４に移行する。
【００４１】
ステップＳ０３では、コンテンツの再生をランダムに行うか否かを決定する。具体的には、操作表示部４７にランダム表示の選択肢が表示され、ユーザがこのランダム表示を選択することによって決定される。
制御部４３は、ユーザからのランダム再生指示の有無を判断し、ランダム再生指示が有った場合は手順Ｂ（ランダム再生）に移行し（後述）、ランダム再生指示が無かった場合はステップＳ０４に移行する。
なお、ユーザの選択によってはランダム再生をしない場合は、このステップＳ０３は無くてもよい。
【００４２】
次に、ステップＳ０４において、制御部４３は、ステップＳ０２において得られた現在状況情報が、記憶部４４が記憶している第１の条件を満たしたか否かを判断する。
具体的には、制御部４３が、第１の条件と、現在状況情報と照合し、当該第１の条件と適合するか否かを判断する。
ステップＳ０４において、第１の条件を満たした場合には処理Ａ（第１の条件に基づく再生）に移行する。第１の条件を満たさなかった場合、即ち再生条件が無かった場合は処理Ｂ（ランダム再生）に移行する。
なお、第１の条件と現在状況情報は完全な一致でなくても、一致したと判断しても良い。
【００４３】
図６は現在状況情報と第１の条件を照合する処理の説明図である。
図６に示すように、たとえば、取得された現在状況情報の各カテゴリーの各属性が「冬、夜、晴、都心」であった場合に、第１の条件が「冬、夜、晴、都心」であるときに、この現在状況情報は第１の条件と一致すると判断される。
なお、第１の条件と現在状況情報は完全な一致でなくても、一致したと判断する場合もある。
このように、適合する条件が有った場合は、第１の条件を満たしたと判断して処理Ａに移行する。適合する条件が無かった場合は第１の条件を満たしていないと判断して処理Ｂに移行する。
このような第１の条件に現在状況が一致しているかの判断は、図６に示されるような方法に限定されず、様々な、方法で決定することが可能である。
【００４４】
＜第１の条件に基づく再生＞
図７は、処理Ａ（第１の条件に基づく再生の場合）の手順を示すフローチャートである。第１の条件に基づく再生において、制御部４３は図５に示した処理に続いて処理Ａを実行する。
【００４５】
ステップＳ０５では、再生端末機１は、ステップＳ０２で検出した現在状況情報を、通信部４２を介してサーバ３１に供給（通信出力）する。ステップＳ０５が実行されると、ステップＳ０６に移行する。
【００４６】
ステップＳ０６では、サーバ３１は、ステップＳ０５で供給（通信入力）された現在状況を取得する。ステップＳ０６が実行されると、ステップＳ０７に移行する。
【００４７】
ステップＳ０７では、サーバ３１は、取得された現在状況情報に最も適切なコンテンツを決定する。このとき、コンテンツは、楽曲ＤＡＴＡ及び画像ＤＡＴＡのみならず、これらに関連づけられた第２の条件及び再生条件を一連のセットとして決定される。なお、このときの再生条件は、第１の条件と一致するか、サーバ３１に記憶された再生条件の中で最も近いと判断された再生条件である。そして、この再生条件は、後述するステップＳ２２で修正される。
ステップＳ０７が実行されると、ステップＳ０８に移行する。
【００４８】
図６を参照して、この処理を説明すると、取得された現在状況情報の各カテゴリーの各属性が「冬、夜、晴、都心」であった場合には、再生条件Ｃが「冬、夜、―、都心」であるため、最も一致率が高いことから、楽曲「クリスマスの夜」が選択されることになる。
このような楽曲の選択は、図６に示されるような方法に限定されず、様々な、方法で決定することが可能である。
【００４９】
ステップＳ０８では、サーバ３１は、ステップＳ０７で決定されたコンテンツデータを、関連する第２の条件とともに再生端末機１に供給（通信出力）する。ステップＳ０８が実行されると、ステップＳ０９に移行する。
【００５０】
ステップＳ０９では、再生端末機１は、サーバ３１からコンテンツデータ及び第２の条件を取得する。制御部４３は、通信部４２を介して取得したコンテンツデータを記憶部４４に記憶させる。
ステップＳ０９が実行されると、ステップＳ１０に移行する。
【００５１】
ステップＳ１０では、再生端末機１はコンテンツデータの再生を開始する。制御部４３は、音声入出力部４８のスピーカから音声を出力させ、操作表示部４７の表示部８から画像を表示させる。
ステップＳ１０が実行されると、ステップＳ１１に移行する。
【００５２】
ステップＳ１１では、再生端末機１は、第２の条件を満たしたか否かを判断する。
第２の条件とは、上述したように、例えばコンテンツの再生が開始されて所定期間経過したことや、楽曲の最も盛り上がるところに差しかかかったタイミングなどであり、報知手段２５の表示を許可するための条件である。
具体的には、制御部４３が、記憶部４４に記憶された、現在再生中の楽曲に関連づけられた第２の条件を参照して判断する。第２の条件が満たされたと制御部４３が判断した場合は、ステップＳ１２に移行する。第２の条件が満たされたと制御部４３が判断しなかった場合は、リターンして再生を続け、第２の条件が満たされたと判断されるまでステップＳ１１を繰り返す。
【００５３】
ステップＳ１２では、再生端末機１は、制御部４３が操作表示部４７の表示部８に報知手段２５を表示させる。
ステップＳ１２が実行されると、ステップＳ１３に移行する。
【００５４】
ステップＳ１３では、評価が行われたか否かを判断する。ユーザはステップＳ１２で表示された報知手段２５を用いて、再生中のコンテンツに対する評価を入力することができる。
報知手段２５によって評価が入力部１０から入力されると、制御部４３は入力が有ったと判断し、この評価情報を、通信部４２を介してサーバ３１に供給する。なお、この評価情報には、評価の有無に関する情報だけではなく、評価されたタイミング等の情報等を含めてもよい。
評価が行われた場合は、ステップＳ２１に移行する。評価が行われなかった場合は、ステップＳ１４に移行する。
【００５５】
ステップＳ１４は、ステップＳ１３で報知手段２５による評価が行われなかった場合に、報知手段２５を非表示とする処理である。制御部４３は、コンテンツ再生開始時点から所定期間を経過すると、タイムアウトと判断し、報知手段２５の表示を中止する。
この所定期間とは、再生開始から所定期間でもよく、また、楽曲の最も盛り上がるところの開始時点から所定期間とすることもできる。いずれの場合も楽曲の再生終了時点を超えない期間を予め設定することができる。
制御部４３がタイムアウトと判断した場合は、処理Ａを終了する。制御部４３がタイムアウトと判断しなかった場合は、ステップＳ１３にリターンして以降の処理を繰り返す。
コンテンツの再生が終了したら、ステップＳ０２に戻る。ユーザにより再生停止の操作がなされた場合は、全ての処理を終了する。
【００５６】
ステップＳ２１は、ステップＳ１３で報知手段２５による評価が行われた場合に、サーバ３１が、再生端末機１から供給される評価情報を取得する処理である。サーバ３１は、インターネット３３等を介して、評価情報を取得する。
ステップＳ２１が実行されると、ステップＳ２２に移行する。
【００５７】
ステップＳ２２では、ステップＳ２１で取得した評価情報を用いて、再生条件を修正する処理を実行する。具体的には、サーバ３１は、当該評価情報に基づいて、コンテンツデータベース３２に格納されている再生条件を変更する。若しくは、再生条件の重み付けを変更する。詳細には、評価情報を取得した再生条件の重みを上げる。
【００５８】
逆に、評価情報を取得しなかったコンテンツの重みを下げてもよい。具体的には、報知手段２５が非表示となった時点又は楽曲終了時点までに評価情報未取得であれば、評価未取得情報としてサーバ３１に供給する。この場合は、評価未取得を低評価有りと判断することになる。
こうすることによって、未再生の、又は新規のコンテンツの再生のチャンスを向上させることができる。つまり、再生の優先順位を、第１位「再生あり、評価あり」、第２位「未再生」、第３位「再生あり、評価なし」とする重み付けを再生条件に与えることによって、ユーザは自分が評価した楽曲を再び同じ場所で聞くことができる。また、前回評価せず印象の薄かった楽曲を再び聴くのではなく、新たな楽曲を聴くチャンスを増やすことができる。
ステップＳ２２が実行されると、サーバ３１は処理Ａを終了する。
【００５９】
＜ランダム再生＞
図８は、処理Ｂ（ランダム再生の場合）の手順を示すフローチャートである。ランダム再生において、制御部４３は図５に示した処理に続いて処理Ｂを実行する。処理Ｂは、第１の条件を使用せず、ランダムにコンテンツデータを再生する場合の処理である。図５に示す手順において、ステップＳ０３でユーザがランダム再生を選択した場合や、ステップＳ０４で第１の条件無と判断された場合は処理Ｂに移行し、Ｓ１０５を実行することとなる。以下では、図８を参照して処理Ｂを説明する。
【００６０】
ステップＳ１０５では、再生端末機１は、ステップＳ０２で検出した現在状況情報を、通信部４２を介してサーバ３１に供給（通信出力）する。ステップＳ１０５が実行されると、ステップＳ１０６に移行する。
【００６１】
ステップＳ１０６では、サーバ３１は、ステップＳ１０５で供給（通信入力）された現在状況情報を取得する。ステップＳ１０６が実行されると、ステップＳ１０７に移行する。
【００６２】
ステップＳ１０７では、サーバ３１は、コンテンツをランダムに選択し、決定する。このとき、コンテンツは、楽曲ＤＡＴＡ及び画像ＤＡＴＡのみならず、これらに関連づけられた第２の条件及び再生条件を一連のセットとして決定される。この再生条件は、後述するステップＳ１２２で修正される。
【００６３】
第１実施形態と異なる点は、第１の条件を介さないという点である。この点について、再び図６を参照して説明する。
第１実施形態では、第１の条件に適合する再生条件Ｃが必ず決定されるのに対し、第２実施形態では、ステップＳ０２でユーザがランダム再生を選択した場合は、再生条件Ａ〜Ｃは同じ条件と見做されて、３つの中からランダムに１つが決定される。さらに、ステップＳ０４で第１の条件を満たさなかった場合は、再生条件Ａ及びＢは同じ再生条件と見做されて、２つの再生条件の中からランダムに１つが決定される。
ステップＳ１０７が実行されると、ステップＳ１０８に移行する。
【００６４】
ステップＳ１０８では、サーバ３１は、ステップＳ１０７で決定されたコンテンツデータを、関連する第２の条件とともに再生端末機１に供給（通信出力）する。
ステップＳ１０８が実行されると、ステップＳ１０９に移行する。
【００６５】
ステップＳ１０９では、再生端末機１は、サーバ３１からコンテンツデータ及び第２の条件を取得する。制御部４３は、通信部４２を介して取得したコンテンツデータ等を記憶部４４に記憶させる。
ステップＳ１０９が実行されると、ステップＳ１１０に移行する。
【００６６】
ステップＳ１１０では、再生端末機１はコンテンツデータの再生を開始する。制御部４３は、音声入出力部４８のスピーカから音声を出力させ、操作表示部４７の表示部８から画像を表示させる。
ステップＳ１１０が実行されると、ステップＳ１１１に移行する。
【００６７】
ステップＳ１１１では、再生端末機１は、第２の条件を満たしたか否かを判断する。具体的には、制御部４３は、記憶部４４に記憶された、現在再生中の楽曲に関連づけられた第２の条件を参照して判断する。第２の条件が満たされたと制御部４３が判断した場合は、ステップＳ１１２に移行する。第２の条件が満たされたと制御部４３が判断しなかった場合は、リターンして再生を続け、第２の条件が満たされたと判断されるまでステップＳ１１１を繰り返す。
【００６８】
ステップＳ１１２では、再生端末機１は、制御部４３が操作表示部４７の表示部８に報知手段２５を表示させる。
ステップＳ１１２が実行されると、ステップＳ１１３に移行する。
【００６９】
ステップＳ１１３では、評価が行われたか否かを判断する。ユーザはステップＳ１１２で表示された報知手段２５を用いて、再生中のコンテンツに対する評価を入力することができる。
報知手段２５によって評価が入力部１０から入力されると、制御部４３は入力が有ったと判断し、この評価情報を、通信部４２を介してサーバ３１に供給する。なお、この評価情報には、評価の有無に関する情報だけではなく、評価されたタイミング等の情報等を含めてもよい。
評価が行われた場合は、ステップＳ１２１に移行する。評価が行われなかった場合は、ステップＳ１１４に移行する。
【００７０】
ステップＳ１１４は、ステップＳ１１３で報知手段２５による評価が行われなかった場合に、報知手段２５を非表示とする処理である。制御部４３は、コンテンツ再生開始時点から所定期間を経過すると、タイムアウトと判断し、報知手段２５の表示を中止する。
この所定期間とは、再生開始から所定期間でもよく、また、楽曲の最も盛り上がるところの開始時点から所定期間とすることもできる。いずれの場合も楽曲の再生終了時点を超えない期間を予め設定することができる。
制御部４３がタイムアウトと判断した場合は、処理Ｂを終了する。制御部４３がタイムアウトと判断しなかった場合は、ステップＳ１１３にリターンして以降の処理を繰り返す。
コンテンツの再生が終了したら、ステップＳ０２に戻る。ユーザにより再生停止の操作がなされた場合は、全ての処理を終了する。
【００７１】
ステップＳ１２１は、ステップＳ１１３で報知手段２５による評価が行われた場合に、サーバ３１が、再生端末機１から供給される評価情報を取得する処理である。サーバ３１は、インターネット３３等を介して、評価情報を取得する。
ステップＳ１２１が実行されると、ステップＳ１２２に移行する。
【００７２】
ステップＳ１２２では、ステップＳ１２１で取得した評価情報を用いて、第１の条件としての再生条件を作成する処理を実行する。具体的には、サーバ３１は、コンテンツデータベース３２に格納されている当該コンテンツを第１の条件として関連付ける。ステップＳ１２２が実行されると、処理Ｂを終了する。
【００７３】
図９は、データベースが備えるテーブル６１を示す。１つの楽曲名又は楽曲ＩＤに対して、楽曲音響コンテンツである楽曲データと画像データが関連づけられて保存されている。さらに、先述した第２の条件と再生条件とが曲毎に関連づけて記憶されている。
【００７４】
＜その他の実施形態＞
コンテンツの再生中、ユーザは再生中の楽曲にマッチする風景写真等をアップロード可能となるように構成してもよい。
具体的には、ステップＳ１０またはステップＳ１１０以降、再生が終了するまでの期間において、再生端末機１の撮像部４５で撮像された画像等、記憶部４４に保存された画像データを、通信部４２を介してサーバ３１にアップロードする。
アップロード時点で現在位置検出部４１から検出された現在状況情報を同時にアップロードする。
サーバ３１は、この画像データと現在状況情報の取得を以て、ステップＳ２１またはステップＳ１２１の評価情報取得とみなし、以降の処理を実行する。ユーザが積極的に画像データをアップロードすることは、楽曲とその場の状況がマッチしたことをユーザが評価したものと考えられるからである。
【００７５】
さらに、第１の条件に近い再生条件をもつ楽曲のサンプルデータを再生し、その楽曲を購入可能に構成してもよい。その場合、ステップＳ１３で評価が行われた後、楽曲購入の手順を設けることが考えられる。
【００７６】
＜効果＞
【００７７】
本発明によれば、再生端末機１は最新の現在状況情報に基づいて再生する楽曲を決定できるので、ユーザは、その場の状況にマッチした楽曲を自動的に聴くことができる。また、再生端末機１は、実際のコンテンツデータではなく、コンテンツデータを決定するための第１の条件のみを記憶部４４に記憶するので、記憶部４４の負荷が小さくて済む。
【００７８】
また、再生端末機１は、第１の条件に適合する再生条件が無い場合でも、ランダムに楽曲及び画像を取得することができる。
【００７９】
さらに、本発明の再生端末機１は、ユーザにコンテンツを評価させることを可能にしているので、ユーザは受動的に楽曲の提供を受けるだけでなく、自分の好みを表明することができる。
【００８０】
また、ユーザが評価した評価情報に基づいて再生条件を修正することができるので、再生されるコンテンツとその場の状況をマッチさせる精度を向上させることができる。
【符号の説明】
【００８１】
１  再生端末機
８  表示部
１０  入力部
２１  受話口
２２  ディスプレイパネル
２３  タイトルバー
２４  タッチセンサ
２５  報知手段
３１  サーバ
３２  コンテンツデータベース
３３  インターネット
３４  基地局
４１  現在位置検出部
４２  通信部
４３  制御部
４４  記憶部
４５  撮像部
４６  電源制御部
４７  操作表示部
４８  音声入出力部
４９  システムバス
６１  テーブル
【図１】
2020035511.tif 000003
【図２】
2020035511.tif 000004
【図３】
2020035511.tif 000005
【図４】
2020035511.tif 000006
【図５】
2020035511.tif 000007
【図６】
2020035511.tif 000008
【図７】
2020035511.tif 000009
【図８】
2020035511.tif 000010
【図９】
2020035511.tif 000011